(57)【要約】【課題】専門化されたプレーヤであるプラグイン装置をもつプレイバック装置を有するローカルユーザが歌の歌詞の表示をホストプレイバックソフトウェアのタイマクロックに同期し、リモートコンピュータシステムをサーチするのを可能にする方法を提供する。【解決手段】本システムは、歌によるデータベースと、ローカルミュージックデジタルファイルに同期される歌詞及びタイミングメタデータをユーザがローカルに受信及び再生するのを可能にするインタフェースによるホスティングプレイバックソフトウェアとを含む。本方法は、プロプライエタリのソフトウェアインタフェースを介してデータベースに問合せをユーザが送出し、歌詞及び関連される同期情報についてデータベースをサーチし、歌詞及び関連される同期情報を送出し、ホスティングプレイバックソフトウェア及び特殊化されたプレーヤのプラグイン装置により歌詞を同期及び表示し、これにより、全てのユーザが同期された歌詞へのアクセスを楽しむのを可能にする。【選択図】図１
2009175739.tif 000002
【特許請求の範囲】
【請求項１】
専門のプレーヤであるプラグイン装置をもつプレイバック装置を有するローカルユーザが歌の歌詞の表示をホスティングプレイバックソフトウェアのタイマクロックに同期させ、電子通信ネットワークを介してリモートコンピュータシステムをサーチするのを可能にする方法であって、
前記リモートコンピュータシステムは、
少なくとも歌を有するリモートデータベースと、
ローカルミュージックデジタルファイルに同期される歌詞及びタイミングメタデータをユーザがローカルに受信及び再生するのを可能にするインタフェースをもつホスティングプレイバックソフトウェアを有し、
当該方法は、
前記ローカルユーザにより、プロプライエタリソフトウェアインタフェースを介して前記リモートデータベースに問合せを送出するステップと、
前記システムにより、前記歌詞及び関連される同期情報についてリモートソングデータベースにおいてサーチするステップと、
発見されたとき、前記歌詞及び関連される同期情報を前記ユーザに送出するステップと、
前記ホスティングプレイバックソフトウェア及び前記専門化されたプレーヤのプラグイン装置により、前記歌詞を同期して表示し、全てのユーザが前記プレイバック装置において同期した歌詞へのアクセスを楽しむのを可能にするステップと、
を含むことを特徴とする方法。
【請求項２】
前記歌詞及び同期情報を変更／追加するステップと、前記ユーザにより、インターネットを通してリモートセントラルデータベースに全ての新たな／変更された歌詞及び同期情報をアップロードするステップとを更に含む、
請求項１記載の方法。
【請求項３】
ユーザにより生成された同期情報はWiki技術を使用し、同期情報の迅速な収集を可能にし、時間、金及び他の資源が節約される、
請求項１記載の方法。
【請求項４】
前記プレイバック装置は、iPhone（登録商標）、ラップトップコンピュータ、パーソナルコンピュータ及び携帯電話のうちの少なくとも１つを有する、
請求項１記載の方法。
【請求項５】
前記専門化されたプレーヤのプラグイン装置は、将来の同期されたプレイバックについてオフラインでローカルに、前記歌詞の自動的な同期及び同期された歌詞の保存を可能にする、
請求項１記載の方法。
【請求項６】
前記リモートサーバからダウンロードされた広告メッセージを前記歌詞に又は前記歌詞の前後に挿入するステップを更に含む、
請求項１記載の方法。
【請求項７】
前記広告メッセージは、少なくとも、ユーザの地理的な位置、一般的なデモグラフィックス、プレイバック装置のタイプ及び音楽の好みに同期される目標とされる広告メッセージである、
請求項６記載の方法。
【請求項８】
前記プレイバック装置は、前記同期された歌詞を表示する間、聴覚障害のある人が歌の再生を楽しむのを可能にする振動装置を有する、
請求項１記載の方法。
【請求項９】
前記データベースはタイミングデータベースを更に有し、前記プレイバックソフトウェアは、前記歌詞をある言語で聴き、別の言語で読むことを可能にする手段を提供する、
請求項１記載の方法。
【請求項１０】
前記歌詞と同期タイミング情報とをリミックスし、次いで、オリジナルの歌手によるオリジナルの歌を新たな単語の順序で再生するステップを更に含む、
請求項１記載の方法。
【請求項１１】
前記プレイバック装置は、ＧＰＳ機能を更に有し、
前記リモートコンピュータは、リアルタイムのソーシャルネットワーキングエンジンを更に有し、
前記当該方法は、ある歌が物理的に何処で再生されているかを発見し、同じ音楽の好みを有する他人とのコネクションを形成するステップを更に含む、
請求項１記載の方法。
【請求項１２】
前記ＧＰＳ機能は、ある歌が何処で再生されているか、どの歌が特定の位置で再生されているかについてＧＰＳビジネスインテリジェンスを更に可能にする、
請求項１１記載の方法。
【請求項１３】
前記データベースは、前記歌詞における単語及び句を感情を表す画像及び顔文字にリンクするシソーラスデータベースを更に含む、
請求項１記載の方法。
【請求項１４】
導出された同期情報を使用して、前記歌詞に同期される写真及びビデオのうちの１つを表示するステップを更に含む、
請求項１記載の方法。
【請求項１５】
前記写真及びビデオのうちの１つは、単語「愛」が前記歌詞にあるときは何時でも、ユーザの愛するものの画像を含む、
請求項１４記載の方法。
【請求項１６】
前記写真及びビデオのうちの１つはスローガンを更に含み、
前記歌詞は、政策、時事問題及び慈善行為のうちの１つにリンクされる単語及び句のうちの１つを含む、
請求項１４記載の方法。
【請求項１７】
前記音楽の周波数を分析し、結果を使用して前記写真及びビデオのうちの１つの色かぶりを変更するステップを更に有する、
請求項１４記載の方法。
【請求項１８】
前記音楽のテンポを分析し、結果を使用して前記写真及びビデオのクロスフェードの編集速度のうちの１つの色かぶりを設定するステップを更に含む、
請求項１４記載の方法。
【請求項１９】
前記シソーラスを使用して前記歌詞を再発明し、オリジナルの歌詞と再発明された歌詞の両者を表示するステップを更に含む、
請求項１記載の方法。
【請求項２０】
前記電子通信ネットワークはインターネットである、
請求項１記載の方法。
【請求項２１】
前記歌詞を音楽ビデオストリームに同期させるステップを更に含む、
請求項１記載の方法。
【発明の詳細な説明】
【技術分野】
【０００１】
本発明は、通信ネットワークを通してデジタルマルチメディアファイルへのリアルタイムアクセス全般に関するものであり、より詳細には、音楽の「カラオケ」同期及び歌詞再生の従来技術を利用した同期タイミングテーブルを含むデータベースを提供するリモートウェブサイト向けのシステム、方法に関する。
【０００２】
本出願は、2007年8月22日に提出された米国特許仮出願60/957,220から優先権を主張するものであり、引用によりその完全な形で本明細書に盛り込まれる。
【背景技術】
【０００３】
同期（synchronization又はsync）は、調和してシステムを動作させるためにイベントの調整を必要とする時間管理における問題である。オーケストラに精通した指揮者は、オーケストラにおける個々の奏者が互いに、且つ楽譜に調子を合わせるのを保持する役目を果たす。全てのそれらのパートと同調して動作するシステムは、同期（synchronous又はin  sync）していると呼ばれる。声及びテキストの歌詞（lyric）による音楽の音響又は電気信号は、２つの相関された同じソースのビューを構成する。カラオケでは、ユーザが曲に合わせて歌うことができるように歌詞を音楽に同期させる。オーディオファイル及びテキストの同期は、オーディオファイルに前もって記憶されているアライメントメタデータにより行われる場合がある。また、ビデオ及びオーディオストリームが既に同期されるカラオケメディアの処理が知られている。問題は、歌詞のトランスクリプションではなく、アラインメントである。これは、歌のテキストの歌詞はインターネットで自由に入手可能であるために合理的である。
【０００４】
大量の音楽と大量の歌詞が存在する。時々、カラオケファイルが存在するが、時間の大部分が存在しない。したがって、カラオケファイルを作成することは、作業が集約的であって高価であるために、作成された音楽のヒューマニティの大部分は、それらの歌詞に同期することができない。
【０００５】
歌、たとえばボーカルによる音楽が実行されるとき、言葉の音楽に対する正確なタイミングの関係が形成される。興味深いことに、楽譜が一般的な配置を示す一方で、言葉が音楽と調子を合わせて歌われるときにのみ、実際のタイミングが形成される。この書かれた言葉（歌詞）に対する歌われる言葉は、書かれた歌詞の言葉に対するそれぞれの歌われる言葉のタイミングの関係を慎重に記録する人物により後に導出される。これは、カラオケ製造業者による少数の歌について変動する精度で行なわれている。しかし、この同期データを導出することは非常に時間のかかるものである。数百万の既存の歌に加えて、毎日数千の新たな歌が公表され、音楽に対する歌詞について同期データの手ごろな価格のソースを提供することは現在の技術では困難にしている。
【０００６】
Chang等による米国特許出願2007/0166683“Dynamic  lyrics  display  for  portable  media  devices”は、Apple  Computer  Incに譲渡されており、メディアコンテンツを提示する間に、ポータブルメディアデバイスのディスプレイスクリーンにテキストを動的に表示する改善された技術を開示している。表示されているテキストは、提示されているメディアコンテンツと関連付けされ、同期される。１実現では、テキストの動的な特性は、ポータブルメディアデバイスのディスプレイスクリーンにわたりスクロールすることができる。別の実現では、表示されているテキストの一部は、他の部分から区別可能に表示される。１実施の形態では、メディアコンテンツは音楽であり、テキストは歌詞であり、これにより、ポータブルメディアデバイスは、音楽を再生することができるだけでなく、同期された歌詞を出力することができる。
【０００７】
Karaokiniのようなモバイルカラオケプロバイダは、コマーシャルアクセスを達成し始めている。同期の価値は、音楽自身の前後関係で詩及び言葉の意味の良好な理解を可能にすることで、改善されたリスニングの経験を提供することにある。また、聴覚障害者のような身体的に不利な人々が、視覚的及び振動による刺激で拡張されたとき、彼らが現在経験することができないやり方で音楽を経験する能力を提供することができる。さらに、同期した歌詞のリスナの言語への自動翻訳を使用することで、異文化間の利益が増加する。
【発明の概要】
【発明が解決しようとする課題】
【０００８】
したがって、多数の音楽のリスナが歌詞のソーシャルネットワークに寄与するのを可能にする、すなわちユーザがコンテンツを作成する「Ｗｉｋｉ現象」を使用する方法を提供することが有利である。  
【０００９】
本発明の基本的な目的は、歌詞のソーシャルネットワークの能力が音楽と歌詞との間の同期リンクのデータベースを構築するのを可能にするように、それぞれのリスナが“Ｗｉｋｉ”に寄与するのを可能にすることである。  
【００１０】
Ｗｉｋｉは、ユーザがウェブページを容易に作成、編集及びリンクするのを可能にする、ある種のコンピュータソフトウェア／シンプルオンラインデータベースである。Ｗｉｋｉは、協調的なソーシャルウェブサイト及びパワーコミュニティウェブサイトを作成することができる。  
【００１１】
本発明の１つの他の基本的な目的は、全ての参加者にとって、歌詞にリンクされた音楽の集合された結果をもつデータベースへのアクセスを有することにある。  
【００１２】
本発明の別の基本的な目的は、それらの歌詞から個別に存在する数百万の歌の「実用的に解決不可能な」問題を解くことにある。  
【００１３】
本発明の更に別の基本的な目的は、リンクされた音楽と歌詞を含むソーシャルネットワークの相互作用を強化することにある。  
【００１４】
本発明の１つの他の基本的な目的は、本発明のミュージックソーシャルネットワークコミュニティによるリアルタイムの同期トランザクションを可能にすることにある。  
【００１５】
本発明の更に別の基本的な目的は、本発明のミュージックソーシャルネットワークコミュニティの楽しみにおけるのと同様に、聴覚障害者が参加するのを可能にすることにある。  
【００１６】
本発明の更に別の基本的な目的は、パーソナルコンピュータ、携帯電話、ＰＤＡ、及びインターネットへのコネクションを有する通信ネットワークを通した全ての他の類似の装置のような、コンピュータ化されたデジタルプレイバック装置を動作するリモートユーザが、適切なソフトウェアインタフェースを介してリモートデータベースに問合せを送出するのを可能にすることにある。  
【００１７】
本発明の更なる目的は、発見された場合にユーザに送出される歌詞及び関連される同期情報についてサーチ可能なリモートソングデータベースを提供することにある。本発明により提供される専門化されるプレーヤ又は「プラグイン」装置は、歌詞の表示をホストプレイバックソフトウェアのタイマクロックに同期させる。  
【００１８】
本発明の更なる目的は、ソーシャルネットワーク及びＷｉｋｉ技術を利用したリアルタイムによるローカルの音楽再生及びリモートサーバの歌詞のタイミング同期のシステム及び方法を提供することにある。  
【００１９】
本発明の更なる目的は、歌詞が発見されない場合、我々が提供したのと同じソフトウェアにより、ユーザは、インターネットを通して前記歌詞をサーチするか、彼自身がそれをタイプし、本発明のワンクリックの問合せフォーマットを使用して同期タイミング情報を追加し、ワンクリック又はワンキーが押された同期情報は必要とされる同期データを追加するために収集され、インターネットを通して全ての新たに生成された歌詞及び同期データをリモートのセントラルデータベースにアップロードすることにある。  
【００２０】
本発明のなお更なる目的は、同じプラグインにとって、音楽ファイルと同じファイル名をもつテキストファイル、係るファイルの標準的な拡張子である異なる拡張子.LRC又は.KARの何れかである、歌詞及びメタデータのローカルコピーを保存することにある。  
【００２１】
本発明の更に１つの更なる目的は、MP3tag2及び音楽ファイルそれ自身におけるメタデータとして情報を組み込むために従来技術を利用することにある。
【００２２】
本発明の更に１つの更なる目的は、MP3tag2及び類似の、国際的に合意された標準のような標準を利用して、音楽ファイルそれ自身におけるメタデータとして情報を組み込むために従来技術を利用することにある。  
【００２３】
本発明の更に１つの目的は、Ｗｉｋｉの従来技術を利用することにあり、ＳＮＤ2データベースにより、フォローアップユーザは、同期情報を編集すること、又は以前のユーザにより捕捉された歌詞を補正して、それらの変更されたバージョンをセントラルデータベースにアップロードすることで、ユーザのコミュニティで編集されたデータベースの履歴を作成することができる。
【課題を解決するための手段】
【００２４】
専用プレーヤのプラグイン装置をもつ再生装置を有するローカルユーザが、歌の歌詞の表示をホスト装置のソフトウェアのタイマクロックに同期させ、リモートコンピュータシステムをサーチするのを可能にする方法が開示される。リモートコンピュータシステムは、ローカルミュージックデジタルファイルに同期される歌詞及びタイミングメタデータをユーザがローカルに受信及び再生するのを可能にするインタフェースにより、歌とホストプレイバックソフトウェアのリストを少なくとも有する。
【００２５】
本方法は、ローカルユーザにより、本発明のソフトウェアを組み込んだプラグインによりウィンドウズ（登録商標）  モバイル  メディアプレーヤのような既存のソフトウェアインタフェースといったプロプライエタリ（proprietary）ソフトウェアインタフェースを介して、リモートデータベースへ問合せを送出するステップ、リモートソングデータベースにおけるシステムにより、歌詞及び関連される同期情報をサーチするステップ、発見されたときに歌詞及び関連される同期情報をユーザに送出するステップ、ホストプレイバックソフトウェア及び専門のプレーヤのプラグイン装置により歌詞を同期及び表示して、これにより、全てのユーザは、再生装置において同期された歌詞にアクセスするのを楽しむことができる。
【００２６】
本発明の中心は、ユーザが同期データをローカルに導出し、この同期データが「ソーシャルネットワークで導出された同期データベース」又はＳＮＤ2データベースの観点で、他のユーザによる使用のためにリモートデータベースに組み込まれるのを可能にする方法である。
【００２７】
Chang等による、Apple  Computer社に譲渡された米国特許出願2007/0166683（以下“66683”）“Dynamic  lyrics  display  for  portable  media  devices”は、ユーザによる歌詞の同期を提供するものではない。対照的に、本発明は、ユーザにより音楽を同期させることが意図され、同期の歌詞は、セントラルサーバから取り出される。また、本発明は、サーバが接続の確認がされるとき、プレーヤコンポーネントからの情報を収集するソーシャルアスペクトを提供するものであり、したがって、本発明のリモートシステムは、メンバーのコミュニティがどの歌を再生しているかを「知る」。Apple社による“66683”は、プレゼンテーションに関するものであって、先のカラオケ特許出願から殆ど変わらない。
【００２８】
本発明は、データがインターネット又はローカルネットワークを通して他のユーザにより導出される同期データを含むセントラルデータベースに転送されるのを可能にする。
【００２９】
本発明のユーザは、１以上のデータストリーム（歌詞、音楽、振動、ビデオ、ピクチャ、心拍数、発汗速度、脳幹活動、脈拍数、瞳孔拡張、筋活動）をモニタすることで同期データを意識して入力する。次いで、ユーザは、ソースデータに関する時間に関連する派生を関連付ける同期データ入力を生成する。代替的に、ユーザは、無意識のうちに、たとえば、測定センサを使用して、生体測定、位置又は骨格の動きである場合がある同期データを生成する。たとえば、Apple社によるiPhone（登録商標）では、ユーザは、アーティストにより歌われるそれぞれのラインの終わりで、iPhone（登録商標）のスクリーンでタップすることで歌に歌詞を同期させることができる。
【００３０】
同期データは、たとえば、歌の歌詞及び歌自身から導出される。このケースでは、パーソナルコンピュータ、携帯電話、ＰＤＡ、或いはインターネット接続されるか又はローカルネットワークに接続される他の類似の装置のようなローカルのデジタル再生装置を使用して、歌が聴かれる。聴いている間、及び歌詞を読むか又は見ているのと同時に、ユーザは、同期タイミングポイントで同期データを入力する。この同期データは、歌詞が歌／音楽に時間的に何処に関連しているかに関するユーザの解釈である。
【００３１】
同期データは、セントラルデータベースにストリーミングされるか、アップロードされる。このデータベースは、多数のユーザの同期データを含む。この同期データは、アクセス可能であり、１ユーザ、多数のユーザ又は全てのユーザに適用される場合があるか、適用されない場合があるかルールに制約され、「ソーシャルネットワークにより導出された同期データベース」又はＳＮＤ2データベースを形成する。
【００３２】
本発明は、ＳＮＤ2データベースが、たとえば限定されるものではないが、音楽を聴くこと、運動、瞑想、ジョギング又はソーシャルバイオメトリックアクティビティをネットワーク化することといった、様々なユーザのアクティビティから導出されるのを可能にする。たとえば、ユーザが同期データを発生することができる場合、このデータは、リモートデータベースにロードすることができる。ユーザへの同期データと同期されたソースマテリアルとの関係は、ＳＮＤ2データベースコンセプトを形成する。
【００３３】
代替的な実施の形態では、同期データのユーザ入力装置は、本発明のアプリケーションソフトウェアを実行するiPhone（登録商標）である。ソフトウェアは、１つのユーザアプリケーション、１つのユーザゲーム又はワイドエリアネットワーク化されたゲームアプリケーションの一部である場合があり、その目的は、ＳＮＤ2データベースへの組み込みのために同期データを導出することである。
【００３４】
以下は、組み込まれたときに、音楽との歌詞の同期を可能にする本発明の動作を例示するものである。
【００３５】
パーソナルコンピュータ、携帯電話、ＰＤＡ、又は、インターネットへのコネクションを有する他の類似の装置のようなコンピュータ化されたデジタルプレイバック装置をもつリモートユーザは、本発明のインタフェースソフトウェアを介して、リモートデータベースに歌詞の問い合わせを送出する。リモートデータベースは、歌詞及び歌詞に関連される同期情報をサーチし、発見された場合、同期データ及び他の必要とされるデータをユーザに送出する。次いで、本発明により提供されるプレーヤ「プラグイン」は、ホストプレイバックソフトウェア及び装置のタイマクロックに対する歌詞の表示を同期させ、したがって、ユーザは、再生されている音楽に合わせて歌詞を見ることができる。
【００３６】
また、同じ技術は、歌詞の所有者としてそれらを識別するキーワードをもつ歌詞の最後のバージョン、及びリモートデータベースからそれらの歌詞を除くための要求をアップロードすることで、彼女の歌詞を我々のデータベースから除くため、著作権を取得した作品の派生である歌詞の所有者に権力を与える。これは、コミュニティによる歌詞の別のコピーの更なるアップロードを防止する。この能力は、非常に高価であって、時間のかかる現在のジレンマに対する回答を提供する。著作権を取得したマテリアルの所有者は、たとえばyou-tubeといったインターネットサイトのオーナに連絡を取り、たとえばユーザがロードしたＴＶ番組といった彼らの価値のあるものをそのサーバから除くように依頼する。
【００３７】
本発明の更に重要な特徴は、以下に続く発明の詳細な説明が良好に理解されるために、むしろ広く概説された。本発明の更なる詳細及び利点は、詳細な説明で述べられ、部分的に説明から理解され、又は、本発明の実施により学習される場合がある。
【図面の簡単な説明】
【００３８】
本発明の実施の形態に関して本発明の良好な理解のため、添付図面が参照され、図面を通して同じ参照符号は対応するエレメント又はセクションを示す。
【図１】は、本発明の原理に従って構築される、システムブロック図である。
【図２】は、本発明の原理に従って実行される、ソーシャルネットワーク及びＷｉｋｉ技術を利用した、リアルタイムのローカルの音楽再生とリモートサーバの歌詞のタイミング同期の方法のフローチャートである。
【図３】は、本発明の原理に従って実行される、リアルタイムのローカルの音楽再生と歌詞のタイミング同期のためのリモートサーバを提供するシステムの情報のフローに関するフローチャートである。
【図４】は、本発明の原理に従って実行される、リアルタイムのローカルの音楽再生と歌詞のタイミング同期のためのリモートサーバを提供するシステムのソーシャルネットワーキングの経験のフローチャートである。
【図５】は、本発明の原理に従って示される、オーディオファイルに比較して、ビデオファイルがユーザ装置でどのように見えるかに関する例である。
【発明を実施するための形態】
【００３９】
本発明に係る方法及び装置の原理及び動作は、図面及び詳細な説明を参照して良好に理解され、これらの図面は例示を目的とするために与えられ、限定することが意図されない。
【００４０】
図１は、本発明の原理に従って構築される、システムブロック図の概念的な説明である。ウェブサーバ１１０は、好ましくは企業のウェブサイトにあり、埋め込まれたデータの一部として、同期タイミングをもつか又は同期タイミングなしで、歌詞のデータベース１１１を含む。サーバ１１０は、本発明のアプリケーションソフトウェアを実行し、インターネット１２０を通して携帯電話１３０又は他の例示的なエンドユーザ装置に既にロードされた音楽に関するメタデータを送出する。係るメタデータは歌詞を含み、利用可能なとき、同期情報を含む。
【００４１】
携帯電話１３０、又はパーソナルコンピュータ、ラップトップ等のような他のエンドユーザ装置は、それにロードされた音楽を既に有するが、歌詞及び同期タイミングに関連されるメタデータを有さない。携帯電話１３０は、アーティスト名、歌のタイトル、又はウェブサーバ１１０のデータサービスモジュール１１２からの類似の識別情報のようなデータを要求し、以下で図２を参照して記載されるような、プロプライエタリなプラグイン装置を介してウェブサーバデータサービス１１２から情報を受ける。例示的な携帯電話１３０は、タッチスクリーンディスプレイエリア１３１、幾つかのナビゲーションボタン１３２、並びに、番号及び文字を入力するキーパッド１３３等を含む。
【００４２】
図２は、本発明の原理に従って実行される、ソーシャルネットワーク及びＷｉｋｉ技術を利用した、リアルタイムのローカルの音楽再生及びリモートサーバの歌詞のタイミング同期の方法に関するフローチャートである。３Ｇ携帯電話のようなコンピュータ化されたデジタル再生装置を動作するリモートユーザは、プロプライエタリなソフトウェアインタフェースを介してリモートデータベースに問い合わせを送出する（２１０）。
【００４３】
システムは、歌詞及び関連される同期情報についてリモートソングデータベースをサーチする（２２０）。歌詞が発見された場合（２３０）、歌詞及び関連される同期情報は、ユーザに送出される（２４０）。本発明により提供されるプレーヤ「プラグイン」は、ホストプレイバックソフトウェア及び装置のタイマクロックに歌詞の表示を同期させる（２５０）。歌詞が発見されない場合（２３０）、同じソフトウェアにより、ユーザは、インターネットを通して歌詞又はタイプをサーチすることができ、本発明のワンクリックの問合せフォーマット、又は必要とされる同期データのワンクリックギャザリングを使用して、同期タイミング情報を追加する（２６０）。
【００４４】
次いで、ユーザは、インターネットを通して、全ての新たに生成された歌詞及び同期データをリモートセントラルデータベースにアップロードする（２７０）。同じプラグインは、音楽ファイルと同じファイル名をもつテキストファイルと、異なる拡張子.LRC又は.KARとの何れかとして、歌詞及びメタデータのローカルコピーを保存する（２８０）。メタデータとしての情報を音楽ファイル自身に組み込むために従来技術を利用し、MP3tag2のような標準及び類似の国際的に合意されている標準のような標準を利用する（２９０）。“Ｗｉｋｉ”について従来技術を利用することで、フォローアップユーザは、同期情報を編集するか、又は前のユーザにより捕捉された歌詞を補正し、変更されたバージョンをセントラルデータベースにアップロードし、これによりユーザのコミュニティで編集されたデータベースの履歴が作成される（２９５）。
【００４５】
図３は、本発明の原理に従って実行される、リアルタイムのローカルの音楽再生及び歌詞のタイミング同期のためのリモートサーバを提供するシステムの情報の流れに関するフローチャートである。サーバは、歌の情報の要求を受信する。たとえば、ＭＰ３Ｖ１タグデータ（アーティスト／タイトル／アルバム／ジャンル等）について、要求された歌のデータベースのルックアップが実行される（３１０）。データの整合が発見された場合（３２０）、歌詞データをユーザに送出する（３３０）。タイミングデータも存在する場合（３４０）、それも送出する（３４５）。
【００４６】
歌情報が発見されない場合、インターネットを「スパイダー“Spider”」するか又はエンドユーザから手動でデータを受ける（３５０）。ウェブ「スパイダー」は、ウェブを「クロール」してサーチし、所望の情報、データ又はピクチャ等を抽出するために設計される。ユーザの装置は、サーバからのメタデータを受け、音楽の再生を、データベースからの歌詞テキストとタイミング情報のストリームに同期させ、テキストのラインが聴かれるたびに１つのクリック又はタップにより更なるタイミング補正を手動的に挿入することができる（３６０）。再び同期されたデータは、サーバにアップロードされ、したがって、コミュニティは、“Ｗｉｋｉ”スタイルでデータベースを編集し、補強する（３７０）。
【００４７】
地理的なデータ及び他のデモグラフィック（demographic）及び統計値が編集され、提示される。歌詞及びタイミング情報のそれぞれのユーザ要求は、リアルタイムで記録される。要求者の地理的な情報及び他のデモグラフィック情報は、彼らが楽しんでいる音楽タイトルに整合される。
【００４８】
情報は、ユーザのソーシャルコミュニティについて生成されたビジネスインテリジェンス（business  intelligence）及び統計情報について集められる。たとえば、合衆国の地図が表示され、それぞれの州に関して、その州でユーザにより今日再生された上位１０曲の歌のリストが示されるか、リアルタイムで、或いは任意の時間又は見る人により選択された時間の集合として、現在人気がある音楽である、特定の歌又はアーティストの情報を示すマップが提示される。
【００４９】
図４は、本発明の原理に従って実行される、リアルタイムのローカルの音楽再生及び歌詞のタイミング同期のためのリモートサーバを提供するシステムのソーシャルネットワーキングの経験に関するフローチャートである。ユーザは、彼女が現在再生している特定の歌について歌詞情報を要求する（４１０）。たとえば電話番号、電子メールアドレス及び／又は他の固有の識別子といったユーザの固有の識別情報が受信される（４２０）。たとえばMyspace（登録商標）又はFaceBook（登録商標）といったソーシャルネットワークページからの要求は、同じユーザを識別する（４３０）。
【００５０】
整合が発見された場合、同じ歌詞のストリーム及びタイミング情報がユーザに送出され、インターネットを通して彼女のソーシャルネットワークのページに埋め込まれた提供されたプラグインに送出される（４４０）。彼女の移動電話で彼女が聞いている同じ歌詞は、彼女のウェブサイトにストリーミングされる。全ての彼女のページの訪問者は、彼女が聞いている音楽を聴くか、更に彼女がこの特定の瞬間で楽しんでいる実際の歌詞を見る。
【００５１】
歌詞及び同期のリモートサーチのローカルプレイバックに加えて、リモートサーバは、ダイレクトなログインによるか、又は携帯電話又はインターネットプロバイダ会社との協働により、或いはＩＰアドレスにより領域の推定により、ユーザに関するデモグラフィックデータの登録及び収集を行なうことができる。
【００５２】
デモグラフィックデータ、又は音楽を聴く癖及び音楽の好みのユーザの履歴により推定される所定のトピックにおける関心は、プレイバックのために使用される装置のタイプは、リモートサーバからダウンロードされた歌詞における広告メッセージを挿入する能力を与えるために利用される。たとえば、我々の専門化されたプラグインが特定のターゲットとなる聴衆をもつ比較的高価な装置であるiPhone（登録商標）をユーザが利用していることを我々に報告した場合、その情報は、係るユーザのデモグラフィックスをターゲットとする広告の伝達を調整する。
【００５３】
クローズキャプショニングの従来技術を利用して、本発明は、ＴＶ製作者に、スクリーンのクローズキャプショニングエリアに、又はローリングするスクリーンのフッタに自動的に同期された歌詞を追加する能力を与え、リモートデータベースを使用することで歌詞の表示を自動的に同期させ、歌詞の表示をステーションのプロダクションマスタクロックに同期させ、係るサービスを提供するために必要とされる手動による労働の数えきれない時間を節約する。
【００５４】
任意に、収集された歌詞のデータベース及びプロプライエタリなタイミング情報の収集が更に使用され、これは、聴覚障害者にとって更なるサービスを可能にする。歌詞のラインの表示をプレイバックに同期させることで、聴覚視聴者が歌を聴くことができないときでさえ、彼又は彼女は、リズムの振動を再生装置に追加することで、彼らの障害の制限を受けてその歌を楽しむことができる。たとえば、再生装置が、バイブレーティングモードが設けられた携帯電話である場合、本発明は、歌詞の言葉を同時に同期させる一方で、装置の振動を再生の音楽に同期させる。
【００５５】
米国特許出願US2007/0166683では、Apple  Computer社は、その単語を再生するとき、それぞれの単語をハイライト表示することを開示する。Apple社の特許出願は、カラオケファイルが今日どのように再生されるかとは実質的に異ならない。対照的に、本発明は、歌の時間軸で再生されるとき、それぞれの情報ラインをシンプルに示し、次の単語が再生される振動の合図を与える。
【００５６】
本発明はある歌の同期タイミングを収集するためにＷｉｋｉ技術を使用するので、コミュニティは、同じサービスを介して、歌が実行されている言語以外の言語に歌の歌詞を変換することが可能とされる。代替的に、歌詞は、最初の実行で自動的に変換され、Ｗｉｋｉユーザが後のステージで補正を行なうのを可能にする。これにより、ユーザは歌が実行された言語とは異なる言語で歌詞を読むのを選択して、ユーザが理解できる言語での外国の歌の再生の文化的な経験を高めることができ、逆も然りであるので、それぞれ実行される歌の国際化が可能となる。これにより、歌が実行される言語を知るユーザは、便宜のため教育的な目的のため、異なる言語で同じ歌詞を読み、同期させることができる。
【００５７】
［貴方の周りの何処で歌が再生されているかに関するリアルタイムのＧＰＳサポートマップ］
移動体装置にＧＰＳが設けられているとき、本発明のサーバは、ユーザの物理的な位置を共有するのを選択する場合に、この情報を登録する。それぞれの歌が何処で再生されるかを本発明が物理的に知ると、これにより、別のユーザが「どの歌が私のいるストリートで今再生されているか？」又は「この瞬間に私が聴いているのと同じ歌を聴いている最も近い人物が何処にいるか？」を尋ねるサービスが可能になる。
【００５８】
本発明は、ソーシャルネットワーキングに発展することができる。たとえば、２人は互いに発見することができ、同じ歌を再生し、システムにそれらを一緒にさせることで、そのようにすることができる。
【００５９】
システムは、マッピングソフトウェアでマージすることができる。システムは、リアルタイムで、再生されている特定の歌の物理的な位置をハイライト表示して、たとえばGoogle  Earthといったマッピングサービスを表示するか、特定の物理的な位置において最も人気のある歌をサーチする。
【００６０】
本発明を使用した別のソーシャルネットワークの能力により、二人は、２つの異なる位置において同じ瞬間で同じ歌の歌詞を正確に見て、互いに歌うことができる。たとえば、本発明のソフトウェアの「プラグイン」によりSkype（登録商標）のようなサービスを使用して、２以上の話している人達は、２以上の物理的な位置において正確に同じ歌を見たり、聴いたりするために同期される。
【００６１】
本発明のリアルタイムデータのソーシャルネットワークの利用は、データベースからの歌詞のタイミングの同期をダウンロードするとき、どの歌をそれぞれのユーザが聞いているかに関する情報を提供する。これにより、以下のような、収集に基づいて多数のサービスの提供が可能となる。  
他に誰が、どの位多くの人が、世界の何処で、この瞬間に、この正確な歌を聞いているか？  
ロンドンで、携帯電話でこの瞬間に再生されている最も人気のある歌は何か？  
出会いにより、ユーザは、彼らの音楽の好み及び最後の数日又は数ヶ月で再生された歌のカタログに基づいて他の人々をサーチする。
【００６２】
実行される歌の楽しみを学習及び向上させる更なる機会は、同期の目的を逆にする能力である。ひとたび、本発明がそれぞれの歌詞の節のタイミングを収集し、それを歌の再生に整合させると、これにより、ユーザは、彼らが関心のあるやり方で歌詞を混合し、再びアレンジすることができる。次いで、ユーザは、収集された歌詞のタイミングに基づいて歌を再生することができる。たとえば、以下のジョン・レノンの歌“Imagine”は、その有名な歌に対する完全に異なる意味により、単語を移動して、オリジナルの歌手の再生によりユーザによりリミックスされる。
【００６３】
［外１］
2009175739.tif 000003
この歌詞をランダムに編集し、以下のように歌うジョン・レノンを再生する場合がある。
【００６４】
［外２］
2009175739.tif 000004
この編集能力は、新たな芸術形態である。これは、ＤＪのスクラッチするビニールレコード及び１９９０年代のコンテンポラリ音楽を変換するサンプリング技術に類似する。
【００６５】
人は、歌を歌うとき、それらの次の歌詞を有さない場合があるので間違うことがある。Ｗｉｋｉにより、ユーザは、彼らの間違いを特別のファイルに挿入することができ、ユーザは、オリジナルファイルのつぎに「間違い」を含むファイルを見ることを選択することができる。
【００６６】
本発明の更に別の例示的な任意の使用は、歌詞を音楽のビデオストリームに同期させることを提供する。たとえば、YouTube（登録商標）は、ライブミュージックのコンサートである場合がある。歌詞は、オリジナルバージョンと同じ９０％であるが、タイミングは、歌のビデオバージョン又はライブバージョンとは典型的に異なる。本発明のユーザを含むコミュニティは、その歌の既存の歌詞で開始し、次いで、YouTube（登録商標）からビデオストリームへの個別のバージョンとしてその歌詞を同期させる。
【００６７】
［ＳＤＮ2データベースアプリケーションの更なる例］  
Lyric/Music編集におけるSND2アプリケーション
同期データを使用して、歌詞と、一方の歌と別の歌との音楽とをクロス編集することも可能である。これは、本発明の代替的な実施の形態により提供される。
【００６８】
ＳＮＤ2データベース、歌詞のデータベース、音楽のデータベースを使用して、ユーザは、ポール・マッカートニーの“Yesterday”からの歌詞でジョン・レノンの“Imagine”からの歌詞を編集することができる。歌詞の編集ポイントは、音楽の編集の同期ポイントについて同期タイミングの開始ポイントを提供する。更なるエンハンスメントは、ソフトウェアがそれぞれのセグメントについて音色、テンポ及びリズムを分析することであり、次いで、標準的なデジタル信号処理（ＤＳＰ）技術を使用してそれぞれのセグメントの音色、テンポ及びリズムを調節して、音楽をセグメント毎に最適化し、そうすることで、「新たに」導出された歌の音楽的才能を最適化することである。不愉快に聞こえる場合があるが、新しく且つ興味深く聞こえる場合がある。これは、新たな芸術形態である。
【００６９】
ユーザは、そのソーシャルネットワークの他のユーザによる更なる編集のため、同期データ及び任意のＤＳＰメタデータをＳＮＤ2データベースにアップロードすることができる。
【００７０】
［画像編集におけるＳＮＤ2の使用］
ユーザは、歌詞及び歌の同期データの生成を決定する。ユーザは、たとえば、単語“love”が歌詞に現れたとき、ビデオディスプレイ又は彼らのデジタルディスプレイ装置に彼らの犬のピクチャを見たいと判断する。単語“hate”が現れたとき、彼らの国の大統領のピクチャを見たいと判定する。ユーザは、彼らがローカルに導出した同期データを使用して、ユーザの視覚的な表示のためにピクチャの編集ポイントをマークし、ユーザが選択したピクチャをタグ付けする。ユーザは、ピクチャ、同期データ及び歌詞をリモートＳＮＤ2データベースにアップロードし、このデータベースで、ユーザは、このデータへのアクセス、彼自身の選択されたユーザ又はそのデータベースにアクセスする者に許可するのを選択することができる。
【００７１】
更なる例は、ユーザが、ポップビデオの歌詞の同期データを導出し、次いで、歌詞の編集ソフトウェアを使用してビデオを編集し、及び／又は、ビデオ編集ポイントを導出するために歌詞の同期データを使用して歌とポップビデオ間でクロスエディットを行うことである。
【００７２】
［聴覚障害者向けビデオディスプレイ制御におけるＳＮＤ2の使用］
ＳＮＤ2のデータベースは、ユーザが歌の情緒を表すビデオディスプレイに同期され、スキンコンタクトバイブレーション装置のようなフィジカルデバイスにより提供されるような蝕知性の刺激にも同期される歌の歌詞を見ることを可能にする。
【００７３】
歌詞は音に設定される詩である。ＳＮＤ2のデータベースからの同期データは、さもなければ利用可能であるよりも、聴覚障害のあるユーザにとって歌の十分な経験を可能にする。
【００７４】
ユーザは、時間領域において振幅、テンポ、音色及びリズムについてソフトウェアを使用して歌の音楽を分析する。分析された値は、明るさ、色、複雑さ、変化のレート、振動の強度及び振動の周波数を与えるためにマッピングされる。時間データ、同期データ及び分析されたディスプレイデータは、ＳＮＤ2のデータベースにロードされる。
【００７５】
ＰＤＡをもつ聴覚障害のあるユーザは、たとえばエンハンスされたiPhone（登録商標）を使用して歌にアクセスする場合がある。歌詞は表示される。過去にスクロールしたとき、ディスプレイは、歌から導出される分析されたメタデータと同期して変化し、iPhone（登録商標）も同様に同期して振動する。「歌詞」が通過するときにユーザの妻が同期データをエンコードした場合、彼女は、彼女自身又は彼らの子供の画像をエンコードすることができる。
【００７６】
［運動におけるＳＮＤ2の使用］
豊かなベンチャーキャピタル（ＶＣ）の企業家は、ビーチに沿ってジョギングしている。彼の心臓のモニタは、彼のお気に入りのメロディであるスペインのフォークソングについて同期データを変えるようにマッピングされる。彼が運動するとき、彼の心拍数は歌のテンポを変化する。彼は、ＶＣのインターナショナルエクササイズグループのメンバーでもある。
【００７７】
このグループにおける彼の様々な仲間及び彼が未だに知らない人々は、同時に全て運動している。世界で多数のＶＣが存在する。我々の仲間は、彼のエクササイズレート、及び彼のグループにおける他人のエクササイズレートを同期データのＳＮＤ2のデータベースを介して見ることができる。彼は、彼の好適なレート／音楽のテンポで自主的に運動することができ、彼は、グループの同期の平均に対して運動することができるか、又は仲間を選択することができる。
【００７８】
彼は、世界の他の側で運動しているTai  Kwan  Doの専門家を選択する。この専門家は、スペインのフォークミュージックを好きではない。実際に、彼が何が好きかを我々は知らないが、彼は彼の選択した音楽及びその同期データに対して彼の心拍数をマッピングし、これらの２つの仲間は、まさに目標に向かって努力する。一方はビーチをあちこち歩き、他方はダミーで運動する。彼らは、異なる音楽を聞いているが、共有されたＳＮＤ2の経験を有して、エクササイズレートを整合し、競合する。
【００７９】
図５は、本発明の原理に従って示される、オーディオファイルと比較して、あるビデオファイルがユーザ装置でどのように見えるかに関する例である。ユーザは、ミュージックプレーヤにおけるオーディオファイルのリストをスキャンして、アプリケーションにおけるビデオストリームを発見し、ビデオストリームに沿って同期される歌詞を表示するか、又は表示しない間、オーディオファイルを再生する代わりにビデオをストリーミングするために選択するオプションを可能にする。オーディオファイルと同様に、ビデオクリップが歌詞と同期されない場合、ユーザは、それをディスプレイから又はデスクトップアプリケーションから同期させることができる。図５は、YouTube（登録商標）ビデオからダウンロードされた歌の２つの例５１０，５２０を示す。
【００８０】
代替的に、ユーザは、アーティストの名前及び／又は歌／映画／ビデオの名前をオーディオファイルのリストに追加する。この場合、オーディオファイルが存在しないが、アプリケーションは、この情報を使用して、ビデオクリップを発見してアプリケーションに移動する。
【００８１】
本発明の所定の特定の実施の形態に関して本発明が記載されたが、更なる変更が当業者に指摘されるので、説明は限定されることが意図されないことを理解されたい。係る変更は特許請求の範囲に含まれる係る変更をカバーすることが意図される。
【符号の説明】
【００８２】
５１０，５２０：YouTube（登録商標）ビデオからダウンロードされた歌の２つの例
【図１】
2009175739.tif 000005
【図２】
2009175739.tif 000006
【図３】
2009175739.tif 000007
【図４】
2009175739.tif 000008
【図５】
2009175739.tif 000009